(57)【特許請求の範囲】
【請求項１】
人を監視する無線コンピューティング装置であって、
プロセッサと、
前記プロセッサに動作可能に結合される１又は複数のセンサと、
前記プロセッサに動作可能に結合される１又は複数の無線アンテナと、
を有し、前記プロセッサは、
少なくとも前記無線コンピューティング装置が第１電力量を消費するアイドル状態と前記無線コンピューティング装置が前記第１電力量より大きい第２電力量を消費するアクティブ状態との間で前記無線コンピューティング装置を遷移させ、
前記無線コンピューティング装置が前記アイドル状態である間に、前記１又は複数の無線アンテナを介してリモートコンピューティング装置から、前記人の状況に関する１又は複数のデータ点についての要求を受信し、１又は複数のデータ点についての前記要求は、前記リモートコンピューティング装置を特定する電話番号又は発呼側ＩＤを含み、制御プレーンシグナリングを着電話呼として用いて受信され、
前記電話番号又は前記発呼側ＩＤに関連付けられたタスクをメモリから読み出し、前記タスクを実行することにより、前記１又は複数のセンサから１又は複数のセンサ信号を取得し、
前記１又は複数のセンサ信号に基づき前記の要求された１又は複数のデータ点を生成し、
前記リモートコンピューティング装置に前記１又は複数の無線アンテナを介して、前記要求された１又は複数のデータ点を提供する、
よう構成される、無線コンピューティング装置。
【請求項２】
前記１又は複数のセンサは、心拍センサを含み、前記要求された１又は複数のデータ点は前記人の脈拍数を含む、請求項１に記載の無線コンピューティング装置。
【請求項３】
前記１又は複数のセンサは、位置座標センサを含み、前記要求された１又は複数のデータ点は前記人の位置座標を含む、請求項１に記載の無線コンピューティング装置。
【請求項４】
前記制御プレーンシグナリングは、Ｗｉ−Ｆｉ制御プレーンシグナリングを含む、請求項１に記載の無線コンピューティング装置。
【請求項５】
前記制御プレーンシグナリングは、無線リソース制御シグナリングを含む、請求項１に記載の無線コンピューティング装置。
【請求項６】
前記無線コンピューティング装置の前記アイドル状態は、ＩＤＬＥ、ＣＥＬＬ＿ＰＣＨ、又はＵＲＡ＿ＰＣＨを含む、請求項５に記載の無線コンピューティング装置。
【請求項７】
前記要求は、第１無線技術を用いて前記１又は複数のアンテナのうちの第１アンテナを介して受信され、前記プロセッサは、前記リモートコンピューティング装置へ、前記第１無線技術より少ない電力を使用する第２無線技術を用いて前記１又は複数の無線アンテナのうちの第２無線アンテナを介して、前記要求された１又は複数のデータ点を提供するよう更に構成される、請求項１に記載の無線コンピューティング装置。
【請求項８】
前記無線コンピューティング装置は、個人危機対応システム又はスマートウォッチを有する、請求項１に記載の無線コンピューティング装置。
【請求項９】
前記プロセッサは、前記取得、生成、及び提供動作のうちの１又は複数を実行するために、前記無線コンピューティング装置を前記アイドル状態から前記アクティブ状態へ遷移させるよう更に構成される、請求項１に記載の無線コンピューティング装置。
【請求項１０】
患者を監視する方法であって、
前記患者により運ばれる無線コンピューティング装置を、前記無線コンピューティング装置が第１電力量を消費するアクティブ状態から、前記無線コンピューティング装置が第２電力量を消費するアイドル状態に遷移させるステップであって、前記第１電力量は前記第２電力量より大きい、ステップと、
前記無線コンピューティング装置において、前記無線コンピューティング装置が前記アイドル状態である間に、前記患者の状況に関する１又は複数のデータ点についての要求を含む無線制御プレーンシグナリングを受信するステップであって、前記要求は、リモートコンピューティング装置を特定する電話番号又は発呼側ＩＤを含み、着電話呼として受信される、ステップと、
前記電話番号又は前記発呼側ＩＤに関連付けられたタスクをメモリから読み出し、前記タスクを実行することにより、前記無線コンピューティング装置に関連付けられる１又は複数のセンサから、１又は複数のセンサ信号を取得するステップと、
前記１又は複数のセンサ信号に基づき、前記の要求された１又は複数のデータ点を生成するステップと、
を有する方法。
【請求項１１】
前記要求された１又は複数のデータ点が基準を満たすことを決定するステップと、
前記無線コンピューティング装置によりリモートコンピューティング装置へ、前記の決定するステップに応答して、リモートコンピューティング装置へ前記要求された１又は複数のデータ点を送信するステップと、
を更に有する請求項１０に記載の方法。
【請求項１２】
コンピューティングシステムであって、
ユーザインタフェースを提供し、
前記ユーザインタフェースにおいて、ユーザ機器を持っている人の状況に関する１又は複数のデータ点を取得するためのコマンドを受信し、
制御プレーンシグナリングを用いて、前記１又は複数のデータ点についての要求の前記ユーザ機器への無線送信を生じ、前記無線送信は、前記コンピューティングシステムを特定する電話番号又は発呼側ＩＤを含み、着電話呼を有し、
前記ユーザ機器から直接又は間接に、前記電話番号又は前記発呼側ＩＤに関連付けられ前記ユーザ機器のメモリから読み出されたタスクを実行することにより、前記ユーザ機器に関連付けられる１又は複数のセンサにより生成された１又は複数のセンサ信号を示すデータを受信する、
よう構成されるコンピューティングシステム。
【発明の詳細な説明】
【技術分野】
【０００１】
本発明は、概して無線通信に関する。より詳細には、ここに開示される種々の新規な方法及び装置は、ユーザ機器のようなアイドル無線コンピューティング装置上でタスクをリモートで開始することに関する。
【背景技術】
【０００２】
種々の無線コンピューティング装置（例えば、電気通信の状況では「ユーザ機器」）は、該装置が種々の方法で関心人物（例えば、危険な状態にある患者、高齢者、子供、在院者、等）の種々の属性をリモートで監視するために使用されることを可能にする種々のセンサを備えられている場合がある。例えば、個人危機対応システム（personal  emergency  response  system）（「ＰＥＲＳ」）は、危険な状態にある患者（例えば、高齢者）が常時、医療職員に接触できるように及び／又は医療職員により監視され得るようにするために、彼らにより身に付けられて良い。しかしながら、関心人物により運ばれる無線コンピューティング装置と該関心人物を監視する担当者（例えば、介護人）により操作されるリモートコンピューティング装置との間のネットワーク接続を維持することは、モバイルコンピューティング装置のバッテリを素早く消耗してしまう可能性がある。したがって、従来、無線コンピューティング装置のバッテリを消耗することなく、常時、関心人物を監視するために使用される無線コンピューティング装置と通信できることが必要である。
【発明の概要】
【０００３】
本開示は、アイドル無線コンピューティング装置上でタスクをリモートに開始する新規な方法及び装置に関する。例えば、無線コンピューティング装置は、監視されるべき患者のような人物により運ばれて（例えば、操作されて、装着されて、等）良い。無線装置が高齢者又はその他の場合に危険な状態にある患者を監視するために使用されるときのような幾つかの状況では、無線装置が常時コマンドを受信できることが重要であり得る。しかし、上述のように、無線装置が１又は複数のネットワークに絶えず接続されるアクティブ状態で無線装置を作動させることは、該無線装置のバッテリを急速に消耗してしまうだろう。したがって、無線装置は、アイドルであって良いが、１又は複数のネットワーク、特にセルラネットワークを介して、到達可能である。コマンドは、無線装置がアイドルモードであるときでも該コマンドを受信できるように、例えば短い形式で無線装置へ無線で送信されて良い。例えば、無線装置がユーザ機器である実施形態では、コマンドは、制御プレーンシグナリング（例えば、着電話呼）を用いて無線装置へ送信されて良い。無線装置は、アイドル状態からアクティブ状態へ遷移し、このようなコマンドに応答して種々のタスクを実行するよう構成されて良い。例えば、無線装置は、要求に応じて、関心人物の状況に関する種々のデータ点（例えば、位置、生体信号、等）を提供して良い。
【０００４】
概して、一態様で、人を監視する無線コンピューティング装置は、プロセッサと、プロセッサに動作可能に結合される１又は複数のセンサと、プロセッサに動作可能に結合される１又は複数の無線アンテナと、を有して良い。前記プロセッサは、（例えば、メモリ内の命令を実行することにより、）少なくとも前記無線コンピューティング装置が第１電力量を消費するアイドル状態と前記無線コンピューティング装置が前記第１電力量より大きい第２電力量を消費するアクティブ状態との間で前記無線コンピューティング装置を遷移させ、前記無線コンピューティング装置が前記アイドル状態である間に、前記１又は複数の無線アンテナを介してリモートコンピューティング装置から、前記人の状況に関する１又は複数のデータ点についての要求を受信し、１又は複数のデータ点についての前記要求は、制御プレーンシグナリングを着電話呼として用いて受信され、前記１又は複数のセンサから１又は複数のセンサ信号を取得し、前記１又は複数のセンサ信号に基づき前記の要求された１又は複数のデータ点を生成し、前記リモートコンピューティング装置に前記１又は複数の無線アンテナを介して、前記要求された１又は複数のデータ点を提供する、よう構成されて良い。
【０００５】
種々の実施形態で、前記１又は複数のセンサは、心拍センサを含んで良く、前記要求された１又は複数のデータ点は前記人の脈拍数を含んで良い。種々の実施形態で、前記１又は複数のセンサは、位置座標センサを含んで良く、前記要求された１又は複数のデータ点は前記人の位置座標を含んで良い。種々の実施形態で、前記制御プレーンシグナリングは、Ｗｉ−Ｆｉ制御プレーンシグナリングを含んで良い。種々の実施形態で、前記制御プレーンシグナリングは、無線リソース制御プレーンシグナリングを含んで良い。種々の変形で、前記無線コンピューティング装置の前記アイドル状態は、ＩＤＬＥ、ＣＥＬＬ＿ＰＣＨ、又はＵＲＡ＿ＰＣＨであって良い。
【０００６】
種々の実施形態で、前記要求は、第１無線技術を用いて前記１又は複数のアンテナのうちの第１アンテナにより受信されて良い。前記プロセッサは、前記リモートコンピューティング装置に、前記１又は複数の無線アンテナのうちの第２無線アンテナにより、前記第１無線技術より少ない電力を使用する第２無線技術を用いて、前記要求された１又は複数のデータ点を提供するよう更に構成されて良い。
【０００７】
種々の実施形態で、１又は複数のデータ点についての前記要求は、着電話呼として受信されて良い。種々の変形で、前記制御部は、前記着電話呼に関連付けられる電話番号に基づき、１又は複数のデータ点についての前記要求を識別するよう構成されて良い。種々の変形で、前記無線コンピューティング装置は、個人危機対応システム又はスマートウォッチであって良い。種々の変形で、前記プロセッサは、前記取得、生成、及び提供動作のうちの１又は複数を実行するために、前記無線コンピューティング装置を前記アイドル状態から前記アクティブ状態へ遷移させるよう更に構成されて良い。
【０００８】
別の態様では、患者を監視する方法は、前記患者により運ばれる無線コンピューティング装置を、前記無線コンピューティング装置が第１電力量を消費するアクティブ状態から、前記無線コンピューティング装置が第２電力量を消費するアイドル状態に遷移させるステップであって、前記第１電力量は前記第２電力量より大きい、ステップと、前記無線コンピューティング装置において、前記無線コンピューティング装置が前記アイドル状態である間に、前記患者の状況に関する１又は複数のデータ点についての要求を含む無線制御プレーンシグナリングを受信するステップと、前記無線コンピューティング装置に関連付けられる１又は複数のセンサから、１又は複数のセンサ信号を取得するステップと、前記１又は複数のセンサ信号に基づき、前記の要求された１又は複数のデータ点を生成するステップと、を有する。
【０００９】
種々の実施形態で、前記方法は、前記要求された１又は複数のデータ点が基準を満たすことを決定するステップと、前記無線コンピューティング装置によりリモートコンピューティング装置へ、前記の決定するステップに応答して、リモートコンピューティング装置へ前記要求された１又は複数のデータ点を送信するステップと、を更に有して良い。種々の実施形態で、前記無線送信は、着電話呼を有して良い。
【００１０】
別の態様では、コンピューティングシステムは、ユーザインタフェースを提供し、前記ユーザインタフェースにおいて、ユーザ機器を持っている人の状況に関する１又は複数のデータ点を取得するためのコマンドを受信し、制御プレーンシグナリングを用いて、前記１又は複数のデータ点についての要求の前記ユーザ機器への無線送信を生じ、前記ユーザ機器から直接又は間接に、前記ユーザ機器に関連付けられる１又は複数のセンサにより生成された１又は複数のセンサ信号を示すデータを受信する、よう構成される。
【００１１】
理解されるべき点は、前述の概念及び以下で詳細に議論される更なる概念の全ての組合せが（これらの概念が相互に矛盾しないとすると）、本願明細書に開示される本発明の主題の一部であると考えられることである。特に、本開示の最後にある特許請求の範囲に記載された主題の全ての組合せは、本願明細書に開示された本発明の主題の一部であると考えられる。また、理解されるべき点は、本願明細書で明示的に用いられる専門用語は、参照されることにより組み込まれる如何なる開示にも現れ、本願明細書で開示される特定の概念と最も一貫性のある意味を与えられるべきである。
【図面の簡単な説明】
【００１２】
図中、同様の参照符号は概して異なる図面を通じて同一の部分を表す。また、図面は、必ずしも縮尺通りではなく、本発明の原理を説明する際に一様に配置される代わりに強調される。
【図１】種々の実施形態による、開示の技術が利用され得る例示的な環境を概略的に示す。
【図２】種々の実施形態により、本開示の選択された態様により構成されるモバイルコンピューティング装置がどのようにリモート制御され得るかの一例を、図１より詳細に概略的に示す。
【図３】種々の実施形態により、モバイルコンピューティング装置と１又は複数のリモートコンピューティング装置との間で生じ得る例示的な通信交換を示す。
【図４】種々の実施形態により実施され得る例示的な方法を示す。
【図５】種々の実施形態により実施され得る例示的な方法を示す。
【発明を実施するための形態】
【００１３】
種々の無線コンピューティング装置は、該装置が種々の方法で関心人物の種々の属性をリモート監視するために使用できるようにする種々のセンサを備えられて良い。しかしながら、このような装置とのネットワーク接続を維持することは、該装置のバッテリを素早く消耗してしまう可能性がある。したがって、従来、無線コンピューティング装置のバッテリを消耗することなく、常時、関心人物を監視するために使用される無線コンピューティング装置と通信できることが必要である。より一般的には、出願人は、モバイルコンピューティングタスクが可能な限り少ないバッテリ電力しか消費しない状態である間に、モバイルコンピューティング装置においてタスクをリモートで開始することが有利であり得ることを認識し理解した。上記に鑑み、本発明の種々の実施形態及び実装は、アイドル無線コンピューティング装置におけるタスクのリモート開始に関する。
【００１４】
図１を参照すると、関心人物１００は、スマートフォン１０２ａ及び／又はスマートウォッチ１０２ｂのような１又は複数のモバイルコンピューティング装置１０２を持っていて良い（例えば、操作する、装着する、等）。モバイルコンピューティング装置１０２は、スマート眼鏡、健康監視装置（例えば、ポケット内で運ばれるフィットネストラッカ）、ＰＥＲＳ、等のような他の携帯可能な形式でも良い。関心人物１００は、任意の個人であって良く、該個人の状況の１又は複数の属性−位置、生体信号、等−が他者の関心事である。例えば、関心人物１００は、種々の病状（例えば、認知症）に苦しんでいる高齢者又は精神保健施設にいる患者のような危険な状態にある患者であって良い。別の例として、関心人物１００は、矯正施設にいる受刑者、特定領域を離れることを許されない仮出所者、又は任意の数の理由によりある種の見張り若しくは監視を受ける任意の他の人物又は複数の人物（例えば、犯罪容疑者、犯罪常習者、危険領域内の旅行、登山隊若しくは戦闘部隊のメンバ、競技者、自動車レースドライバ、等）であって良い。
【００１５】
スマートフォン１０２ａ及びスマートウォッチ１０２ｂのようなモバイルコンピューティング装置１０２は、種々の刺激を感知し応答信号を提供するよう動作可能であって良い種々のセンサ（図１に示さない、図２を参照）を備えられて良い。これらの信号は、他者の関心事である関心人物１００の状況の種々の属性を示して良い。例えば、モバイルコンピューティング装置１０２は、全測位システム（global  position  system：ＧＰＳ）センサ、三角測量に基づくセンサ（例えば、Ｗｉ−Ｆｉ三角測量）、又は関心人物が所謂「ジオフェンス」に入った又は出たときを検出するためのセンサのような位置座標センサを含んで良い。追加又は代替で、モバイルコンピューティング装置１０２は、心拍モニタ、血糖センサ、血圧センサ、等のような種々の生体信号センサを含んで良い。これらのセンサのうちの１又は複数により生成される信号は、種々の理由で他者にとって有用である関心人物１００の状況に関するデータ点を示して良い。例えば、関心人物１００の位置座標は、法執行及び／又は介護人にとって関心事であって良い。関心人物１００の心拍は、医療職員にとって関心事であって良い。
【００１６】
モバイル通信装置１０２は、これらのセンサ信号を示すデータを、該データに関心のある人物（例えば、介護人、法執行）により操作される図１の１１２ａ及び１１２ｂのようなリモートコンピューティング装置に提供するよう構成されて良い。モバイル通信装置１０２は、このデータをリモートコンピューティング装置１１２へ１又は複数のコンピューティングネットワークを介して提供して良い。例えば、図１では、スマートフォン１０２ａ及びスマートウォッチ１０２ｂは、１又は複数の携帯電話塔（幾つかの例では、ｅＮｏｄｅＢ、又はｅＮＢ）１０４ａ又は１０４ｂの無線範囲内にあって良い。携帯電話塔１０４ａ−ｂは、例えば進化型パケットコア（evolved  packet  core：ＥＰＣ）であって良いセルラ無線ネットワーク１０６にインタフェースを提供して良い。セルラ無線ネットワーク１０６は、パケットデータネットワークゲートウェイ又は「ＰＤＮ−ＧＷ」のような種々のインタフェース装置１１０を介して、インターネットのような１又は複数の広域コンピューティングネットワーク（「ＷＡＮ」）１０８と通信して良い。リモートコンピューティング装置１１２ａ−ｂは、同様に、無線又は有線接続を用いて直接又は間接にＷＡＮ１０８に接続されて良い。幾つかの実施形態では、リモートコンピューティング装置１１２ａ−ｂは、１又は複数のセルラネットワーク（例えば、１０６、又は別のセルラネットワーク）を介してＷＡＮ１０８に接続されて良い。もちろん、図１に示す構成は、限定であることを意味せず、他の構成が可能である。
【００１７】
リモートタスク開始制御サーバ（remote  task  initiation  control  server：ＲＴＩＣＳ）１１４も図１に示される。ＲＴＩＣＳ１１４は、スマートフォン１０２ａ又はスマートウォッチ１０２ｂのようなモバイルコンピューティング装置が１１２ａ及び１１２ｂのようなリモートコンピューティング装置により様々な程度にどのようにリモート制御されるかを管理するために協調して動作する１又は複数のネットワーク（図示しない、例えばサーバファーム）により接続される１又は複数のコンピューティングシステムを有して良い。種々の実施形態で、ＲＴＩＣＳ１１４は、無線コンピューティング装置１０２とリモートコンピューティング装置１１２との間の種々の態様の接続を管理して良い。例えば、ＲＴＩＣＳ１１４は、電話番号のようなモバイルコンピューティング装置１０２の識別子のデータベースを保持して良い。幾つかの実施形態では、ＲＴＩＣＳ１１４は、同じデータベース内に又は異なるデータベース内に、個々のモバイルコンピューティング装置１０２において（それらの能力に依存し得る）リモートで開始され得るタスクのルックアップテーブル、並びにそれらのタスクを開始するためにモバイルコンピューティング装置１０２へ送信されて良い特定コマンドを保持して良い。例えば、幾つかの実施形態では、タスクは、所望のタスクに一致する特定の発呼側ＩＤを有するモバイルコンピューティング装置１０２に電話呼を発することにより、モバイルコンピューティング装置１０２において開始されて良い。
【００１８】
図１には、無線アクセスポイント１１８により提供される任意のローカルエリアネットワーク（ＬＡＮ）１１６も示される。種々の実施形態で、ＬＡＮ１１６は、関心人物１００が居る又は時間を過ごす、家、職場、矯正施設、病室、精神科病棟、養護施設、等のような環境内に設けられて良い。ＬＡＮ１１６は、種々の目的で使用されて良い。アイドルモバイルコンピューティング装置１０２が、例えばセルラネットワーク１０６を介して受信されるリモートコンピューティング装置１１２からの、タスク（例えば、関心人物１００の生体信号又は位置を示すデータを提供する）を実行するためのコマンドに応答して、「覚醒」されると仮定する。幾つかの実施形態では、モバイルコンピューティング装置１０２は、セルラネットワーク１０６に加えて又はそれを通る代わりに、ＬＡＮ１０６を通じて、リモートコンピューティング装置１１２に要求されたデータを提供して良い。追加又は代替で、ＬＡＮ１１６は、例えばモバイルコンピューティング装置１０２がアクセスポイント１１８とのＷｉ−Ｆｉ接続を失うときを検出するジオフェンスを操作することにより、関心ユーザ１００の位置を監視するために使用されて良い。
【００１９】
図２は、図１より詳細に、本開示の選択された態様により構成されるモバイルコンピューティング装置２０２の種々のコンポーネント、並びにモバイルコンピューティング装置２０２がリモートコンピューティング装置２１２とどのように相互作用するか、を概略的に示す。簡単及び簡潔さのために、図２では、図１に示された種々のネットワーク（例えば、１０６、１０８、１１６）は、単一のネットワーク２５０により表される。この非限定的な実施形態では、モバイルコンピューティング装置２０２は、１又は複数の無線アンテナ２３２、メモリ２３４、及び１又は複数のセンサ２３６に動作可能に結合される１又は複数のプロセッサ２３０を有して良い。無線アンテナ２３２は、Ｗｉ−Ｆｉ、セルラ（例えば、２Ｇ、３Ｇ、４Ｇ、それらの将来変形、等）、ＢｌｕｅＴｏｏｔｈ（登録商標）、等のような種々の技術を用いて通信するために種々の形式であって良い。例えば、多くのスマートフォン又はスマートウォッチは、少なくとも３個のアンテナ：１つはセルラ通信のため、１つはＷｉ−Ｆｉ通信のため、及び１つはＢｌｕｅｔｏｏｔｈ（登録商標）のため、を含む。メモリ２３４は、ＲＡＭ、ＤＲＡＭ、フラッシュ、ＲＯＭ、等のような種々の形式であって良い。１又は複数のセンサ２３６は、位置座標センサ（例えば、ＧＰＳ、Ｗｉ−Ｆｉ三角測量）、加速度計、ジャイロスコープ、生体信号センサ（例えば、心拍、血圧、血糖）、温度計、光センサ、カメラ、マイクロフォン、気圧計、歩数計を含むがこれらに限定されない種々の形式であって良い。
【００２０】
図２で、モバイルコンピューティング装置２０２は、２５２で示されるように、Ｗｉ−Ｆｉ、Ｅｔｈｅｒｎｅｔ、セルラ、等のような種々の技術を用いて、ネットワーク２５０に接続されて良い。モバイルコンピューティング装置２０２は、幾つかの実施形態では、制御プレーン２５４及びデータプレーン２５６（「ユーザプレーン」として参照される場合がある）を有するセルラ接続を用いて、ネットワーク２５０に接続されて良い。制御プレーン２５４は、例えばモバイルコンピューティング装置２０２と接続を確立するために、モバイルコンピューティング装置２０２と種々の制御信号を交換するために使用されて良い。モバイルコンピューティング装置２０２がアイドルである（以下に説明する）間に利用される及び／又は利用可能な無線技術に依存して、制御プレーン２５４は、無線リソース制御（radio  resource  control：ＲＲＣ）信号、Ｗｉ−Ｆｉ制御プレーン信号、プロキシモバイルＩＰｖ６（proxy  mobile  IPv６：ＰＭＩＰ）制御プレーンシグナリング、非アクセスストラタム（non-access  stratum：ＮＡＳ）信号、等の使用を含むがこれらに限定されない種々の方法で実装されて良い。データプレーン２５６は、接続が確立されると、モバイルコンピューティング装置２０２とデータを交換するために使用されて良い。
【００２１】
幾つかの実施形態では、モバイルコンピューティング装置２０２は、該モバイルコンピューティング装置２０２が種々の電力量を消費する種々の状態間で遷移されて良い。例えば、アイドルモードでは、モバイルコンピューティング装置２０２の１又は複数の無線アンテナ２３２は、それらの機能において限定されて良く、例えば、割り当てられたトランスポートチャネルを有さず、ページ（page）の傾聴のような低電力タスクを実行することに限定されて良い。このような状態では、モバイルコンピューティング装置２０２は、最少量の電力しか消費しない可能性がある。モバイルコンピューティング装置２０２は、（例えば着電話呼の）ページ（page）の受信、制御プレーンシグナリングを用いた通知の受信、等のような種々のイベントに応答して、そのアイドルモードから種々のアクティブ状態に遷移されて良い。アクティブ状態では、１又は複数のアンテナ２３２、特にセルラアンテナは、運転可能であって良く、モバイルコンピューティング装置２０２は、該モバイルコンピューティング装置２０２がデータを送信し及び／又は受信するために使用可能な１又は複数のトランスポートチャネルを割り当てられていて良い。
【００２２】
モバイルコンピューティング装置２０２がＵＭＴＳ（universal  mobile  telecommunications  system）セルラ技術を用いて動作する幾つかの実施形態では、モバイルコンピューティング装置２０２は、ＣＥＬＬ＿ＤＣＨ（専用チャネル）モード又はＣＥＬＬ＿ＦＡＣＨ（アドレス転送チャネル）モードであるときアクティブ状態であり、ＩＤＬＥ又はＣＥＬＬ＿ＰＣＨ（受動チャネル）モードであるときアイドル状態であると考えられる。モバイルコンピューティング装置２０２がＬＴＥ（Long  Term  Evolution）セルラ技術（例えば、４Ｇ  ＬＴＥ）を用いて動作する幾つかの実施形態では、モバイルコンピューティング装置２０２は、ＲＲＣ＿ＣＯＮＮＥＣＴＥＤ状態であるときアクティブ状態であり、ＲＲＣ＿ＩＤＬＥ状態であるときアイドル状態であると考えられる。もちろん、これらは、アイドル及びアクティブモード又は状態の単なる非限定的な例である。
【００２３】
種々の実施形態で、リモートコンピューティング装置２１２は、モバイルコンピューティング装置２０２がアイドルモードであるときでも、モバイルコンピューティング装置２０２においてタスクをリモートで開始するよう作動されて良い。例えば、リモートコンピューティング装置２１２は、ユーザインタフェース２４０（例えば、タッチスクリーン上でレンダリングされるグラフィカルユーザインタフェース）で、ユーザ機器（例えば、１０２ａ、１０２ｂ、２０２）を持っている人物（例えば、関心人物１００）の状況に関する１又は複数のデータ点を取得するためのコマンドを受信するよう構成されて良い。例えば、幾つかの実施形態では、リモートコンピューティング装置２１２のユーザインタフェース２４０は、モバイルコンピューティング装置２０２のメモリ２３４に格納された複数のタスク若しくはルーチン２３８１−２３８Ｍのうちの１又は複数を開始するよう動作可能な複数の操作可能要素２４２１−２４２Ｎを有して良い。リモートコンピューティング装置２１２は、次に、（例えば、制御プレーン２５４を介する）制御プレーンシグナリングを用いてモバイルコンピューティング装置２０２への１又は複数のデータ点についての要求の無線送信を生じて良い。リモートコンピューティング装置２１２は、モバイルコンピューティング装置２０２から直接又は間接に、モバイルコンピューティング装置２０２に関連付けられる１又は複数のセンサ（例えば、２３６）により生成される１又は複数のセンサ信号を示すデータを受信して良い。
【００２４】
その一部について、モバイルコンピューティング装置２０２は、モバイルコンピューティング装置がアイドル状態である間に、リモートコンピューティング装置２１２から１又は複数の無線アンテナ２３２を介して、人物（例えば、関心人物１００）の状況に関する１又は複数のデータ点についての要求を受信するよう構成されて良い。モバイルコンピューティング装置２０２は、１又は複数のセンサ２３６から１又は複数のセンサ信号を取得し、１又は複数のセンサ信号に基づき、要求された１又は複数のデータ点を生成して良い。幾つかの実施形態では、モバイルコンピューティング装置２０２は、センサ信号を取得し／データ点を生成するために、アイドル状態からアクティブ状態へ遷移して良い。モバイルコンピューティング装置２０２は、次に、同じ無線アンテナ２３２又は異なる無線アンテナ２３２を用いて、リモートコンピューティング装置２１２に、要求された１又は複数のデータ点を提供して良い。
【００２５】
図３は、種々の実施形態により、リモートコンピューティング装置３１２が関心人物により運ばれるモバイルコンピューティング装置３０２においてタスクをリモートで開始し得るかの例を示す。３６０〜３６８に示される第１の交換は、３６０で、モバイルコンピューティング装置３０２がアイドルモードである間に検出できるような方法で、リモートコンピューティング装置３１２がモバイルコンピューティング装置３０２との連絡を開始することにより始まる。例えば、３６０で、リモートコンピューティング装置３１２は、モバイルコンピューティング装置３０２に対して電話呼を開始して良い。電話呼を開始する部分として、リモートコンピューティング装置３１２は、モバイルコンピューティング装置３０２において受信されるべき電話番号及び／又は発呼側ＩＤを提供して良い。幾つかの実施形態では、リモートコンピューティング装置３１２により提供される電話番号及び／又は発呼側ＩＤは、国際移動局機器識別（International  Mobile  Station  Equipment  Identity）又はＩＭＩＥのようなユニークな識別子によりリンクされて良い。
【００２６】
３６２で、モバイルコンピューティング装置３０２は、受信した発呼側ＩＤを特定タスクに対して照合するための、ＲＴＩＣＳ３１４への要求を送信するために、アイドル状態からアクティブ状態へ遷移して良い。他の実施形態では、モバイルコンピューティング装置３０２は、ＲＴＩＣＳ３１４に連絡する必要無しに、発呼側ＩＤを自身のメモリに格納されたタスクに対して照合して良い。３６４で、ＲＩＴＣＳは、一致したタスクを示すデータをモバイルコンピューティング装置３０２へ介して良い。３６６で、モバイルコンピューティング装置３０２は要求されたタスクを実行して良い。例えば、モバイルコンピューティング装置３０２は、関心人物１００の位置座標、又は生体信号のような、１又は複数のセンサ読み取り値を取得して良い。３６８で、モバイルコンピューティング装置３０２は、要求されたデータをリモートコンピューティング装置３１２に提供して良い。リモートコンピューティング装置３１２のオペレータは、次に、さまよい出ている高齢の関心人物を見つけ出すために人員を配置するような、適切な措置を行って良い。
【００２７】
（必ずしも第１の例示的な交換の後に生じる必要がなく、単に便宜上、第１の交換の下に示される）別の例示的なデータ交換は、３７０で、リモートコンピューティング装置３１２がＲＴＩＣＳ３１４へ、関心人物の状況に関する１又は複数のデータ点についての要求を送信することにより始まる。３７０における通信は、ＲＴＩＣＳ３１４がおそらくバッテリ給電ではなく、したがってアイドルモードではない可能性があるので、種々のネットワーク技術を用いて発行されて良く、必ずしもセルラに限定されない。３７２で、ＲＴＩＣＳ３１４は、例えばモバイルコンピューティング装置３０２へのセルラ電話呼を開始することにより、リモートコンピューティング装置３１２により要求された１又は複数のデータ点についての要求をモバイルコンピューティング装置３０２へ送信して良い。３７４で、モバイルコンピューティング装置３０２は要求されたデータ点を取得するために必要などんなタスクでも実行して良い。例えば、モバイルコンピューティング装置３０２は、関心人物１００の位置座標、又は生体信号のような、１又は複数のセンサ読み取り値を取得して良い。３７６で、モバイルコンピューティング装置３０２は、例えばセルラ接続を用いることにより又は別のネットワーキング技術を用いることにより、要求されたデータをＲＴＩＣＳ３１４に提供して良い。３７８で、ＲＴＩＣＳ３１４は、例えば３７０で使用されたものと同じ又は異なるネットワークを用いて、要求された１又は複数のデータ点を示すデータを、リモートコンピューティング装置３１２に提供して良い。
【００２８】
図４は、種々の実施形態による、関心人物（例えば１００）により運ばれるモバイルコンピューティング装置（例えば、１０２ａ、１０２ｂ、２０２、３０２）により実施され得る例示的な方法４００を示す。特定の動作が特定の順序で示されるが、これは、限定を意味しない。種々の実施形態で、１又は複数の動作が追加され、省略され、及び／又は並べ替えられて良い。
【００２９】
ブロック４０２で、モバイルコンピューティング装置は、無線コンピューティング装置が第１電力量を消費するアクティブ状態（例えば、ＣＥＬＬ＿ＦＡＣＨ、ＣＥＬＬ＿ＤＣＨ、ＲＲＣ＿ＣＯＮＮＥＣＴＥＤ）から、無線コンピューティング装置が第２電力量を消費するアイドル状態（例えば、ＣＥＬＬ＿ＰＣＨ、ＩＤＬＥ、ＲＲＣ＿ＩＤＬＥ）に遷移して良い。ここで、第１電力量は第２電力量より大きい。これは、例えば、モバイルコンピューティング装置が所定時間量の間非アクティブである、及び／又は所定時間量の間任意の通信を送信していない又は受信していないために、生じて良い。
【００３０】
ブロック４０４で、モバイルコンピューティング装置は、自身がアイドル状態である間、例えば自身のセルラ無線アンテナで、モバイルコンピューティング装置を運ぶ関心人物の状況に関する１又は複数のデータ点についての要求を含む無線送信を受信して良い。上述のように、この要求は、関心人物を監視する誰かにより操作されるリモートコンピューティング装置（例えば１１２、２１２、３１２）から直接に、又はＲＴＩＣＳサーバ（例えば１１４、３１４）からのように、種々のソースから受信されて良い。ブロック４０６で、モバイルコンピューティング装置は、無線コンピューティング装置に関連付けられる１又は複数のセンサ（例えば２３６）から、生体信号、位置、等のような１又は複数のセンサ信号を取得して良い。幾つかの実施形態では、ブロック４０６で、モバイルコンピューティング装置は、センサ信号を取得するために、アイドルモードからアクティブモードへ遷移して良い。
【００３１】
任意のブロック４０８で、モバイルコンピューティング装置は、要求された１又は複数のデータ点が基準を満たすか否かを決定して良い。例えば、センサ信号が、関心人物が彼らの居るべき想定される場所に居ることを示す場合、関心人物が認定された領域を去ることの基準は満たされなくて良い。しかし、関心人物が認定された領域を離れている場合、基準は満たされて良い。ブロック４０８の結果がＮＯである場合、方法４００は、ブロック４１０で終了して良い。しかし、４０８で結果がＹＥＳである場合、又はブロック４０８が省略される場合、ブロック４１２で、モバイルコンピューティング装置は、１又は複数のセンサ信号に基づき、要求された１又は複数のデータ点を生成して良い。
【００３２】
幾つかの実施形態では、ブロック４１４で、モバイルコンピューティング装置は、要求された１又は複数のデータ点を、リモートコンピューティング装置（例えば、１１２、２１２、３１２）へ、例えばブロック４０４で使用された通信チャネルを用いて又は異なる通信チャネルを用いて、送信して良い。例えば、ブロック４０４で要求が１又は複数のアンテナ（例えば２３２）のうちの第１アンテナを介して第１無線技術を用いて受信される場合、ブロック４１４で、要求された１又は複数のデータは、１又は複数のアンテナ２３２のうちの第２アンテナを通じて第２無線技術を用いて、リモートコンピューティング装置に提供されて良い。幾つかの実施形態では、第２アンテナ及び／又は無線技術は、第１無線技術より少ない電力を使用して良い。ブロック４０４で、比較的大きな電力量を消費し及び／又は信頼できないと考えられるセルラ技術を用いて要求が受信されると仮定する。ブロック４１４で、要求された１又は複数のデータ点は、Ｗｉ−Ｆｉ又はＢｌｕｅｔｏｏｔｈ（登録商標）のようなより低い電力の及び／又はより信頼できる無線技術／アンテナを用いてリモートコンピューティング装置へ返されて良い。モバイルコンピューティング装置が単に時間期間に渡り関心人物の１又は複数のパラメータを追跡する（例えば、旅行パターンを追跡する、生体信号を追跡する、等）ために使用されるときのような他の例では、モバイルコンピューティング装置は、必ずしも要求されたデータをリモートコンピューティング装置に測定毎に戻さなくて良いが、代わりに単に将来の分析のために測定値の指示を格納して良い。
【００３３】
図５は、種々の実施形態による、関心人物（例えば１００）を監視している誰かにより操作されるリモートコンピューティング装置（例えば、１１２、２１２、３１２）により実施され得る例示的な方法５００を示す。特定の動作が特定の順序で示されるが、これは、限定を意味しない。種々の実施形態で、１又は複数の動作が追加され、省略され、及び／又は並べ替えられて良い。
【００３４】
ブロック５０２で、リモートコンピューティング装置は、ユーザインタフェース（例えば２４０）において、ユーザ機器（例えば、１０２、２０２、３０２のようなモバイル装置）を運ぶ関心人物に関する１又は複数のデータ点を取得するためのコマンドを受信して良い。ブロック５０４で、リモートコンピューティング装置は、制御プレーンシグナリングを用いてユーザ機器への１又は複数のデータ点についての要求の無線送信を生じて良い。ブロック５０６で、リモートコンピューティング装置は、ユーザ機器から直接又は間接に、ユーザ機器に関連付けられる１又は複数のセンサにより生成される１又は複数のセンサ信号を示すデータを受信して良い。
【００３５】
幾つかの本発明の実施形態が本願明細書に記載され図示されたが、当業者は本願明細書に記載された機能を実行し並びに／又は結果及び／若しくは利点の１又は複数を得るための種々の他の手段及び／又は構造を直ちに想像するだろう。より一般的には、当業者は、本願明細書に記載された全てのパラメータ、寸法、材料及び構成が例であること、及び実際のパラメータ、寸法、材料及び／又は構成が本発明の教示が用いられる特定の１又は複数の用途に依存することを直ちに理解するだろう。当業者は、日常的に過ぎない実験を用いて、本願明細書に記載された特定の本発明の実施形態の多数の等価物を認識し又は究明できるだろう。したがって、上述の実施形態は単なる例としてのみ提示されたこと、本願明細書に特に記載された及び主張された以外にも、特許請求の範囲及びその等価の範囲内で本発明の実施形態が実施されうることが理解されるべきである。本開示の本発明の実施形態は、本願明細書に記載されたそれぞれ個々の特徴、システム、物品、材料、キット及び／又は方法を対象とする。更に、このような特徴、システム、物品、材料、キット及び／又は方法の２以上の如何なる組合せも、該特徴、システム、物品、材料、キット及び／又は方法が相互に矛盾しない場合には本開示の本発明の範囲に包含される。
【００３６】
全ての定義は、本願明細書で定められ用いられたように、辞書の定義、参照により組み込まれた文書内の定義、及び／又は定められた用語の通常の意味を支配すると理解されるべきである。
【００３７】
不定冠詞「１つの（「ａ」及び「ａｎ」）」は、本願明細書及び特許請求の範囲で用いられるように、別に明示されない限り、「少なくとも１つ」を意味すると理解されるべきである。
【００３８】
用語「及び／又は」は、本願明細書及び特許請求の範囲で用いられるように、結合された要素の「一方又は両方」を意味する、つまり幾つかの例では接続されて存在する要素であり、他の例では分離して存在する要素であると理解されるべきである。「及び／又は」を伴い列挙された複数の要素は、同様に、つまり結合された要素の「１又は複数」と考えられるべきである。他の要素は、特に指定された要素に関連するか否かに拘わらず、「及び／又は」の節により特に識別された要素の他に任意的に存在してもよい。従って、非限定的な例として、「Ａ及び／又はＢ」という言及は、「有する（ｃｏｍｐｒｉｓｉｎｇ）」のような非限定的言い回しとともに用いられるときは、一実施形態ではＡのみ（任意的にＢ以外の要素を含む）を、別の実施形態ではＢのみ（任意的にＡ以外の要素を含む）を、更に別の実施形態ではＡ及びＢの両方（任意的に他の要素を含む）を表しうる。
【００３９】
本願明細書及び特許請求の範囲で用いられるように、「又は」は上述の「及び／又は」と同じ意味を有すると理解されるべきである。例えば、列挙される中で「又は」又は「及び／又は」で区切られている項目は包括的である、つまり多数の要素又は一連の要素のうちの少なくとも１つを含むが１より多くを含んでもよく、及び任意的に列挙されていない追加の項目を含んでもよいと理解されるべきである。「のうちの１つのみ」又は「のうちの厳密に１つのみ」のように別に明示された用語又は特許請求の範囲で用いられるとき「からなる」のみは、多数の又は列挙された要素のうちの厳密に１つのみを含むことを表す。通常、用語「又は」は、本が明細書で用いられるように、「何れか１つ」、「のうちの１つ」、「のうちの１つのみ」又は「のうちの厳密に１つ」のような排他的な語に先行されるとき、排他的な代替（つまり、「１又は他の、しかし両方ではない」）を示すと解釈されるべきである。「基本的に〜からなる（ｃｏｎｓｉｓｔｉｎｇ）」は、特許法の分野で用いられるように通常の意味を有する。
【００４０】
本願明細書及び特許請求の範囲で用いられるように、１又は複数の要素の列挙を参照する際の用語「少なくとも１つ」は、要素の列挙の中の任意の１又は複数の要素から選択された少なくとも１つの要素を意味するが、必ずしも外要素の列挙内に特に列挙された各要素及び全ての要素のうちの少なくとも１つを含むものではなく、要素の列挙内の要素の如何なる組合せも排除しないと理解されるべきである。この定義は、特に指定された要素に関連するか否かに拘わらず、要素に、任意的に用語「少なくとも１つ」が参照する要素の列挙内で特に識別された要素以外のものも表させる。したがって、非限定的な例として、「Ａ及びＢの少なくとも１つ」（又は同等に「Ａ又はＢの少なくとも１つ」若しくは同等に「Ａ及び／又はＢの少なくとも１つ」）は、ある実施形態では少なくとも１つのＡ、任意的に１つより多いＡを有し、Ｂの存在を有さず（及び任意的にＢ以外の要素を有する）、他の実施形態では少なくとも１つのＢ、任意的に１つより多いＢを有し、Ａの存在を有さず（及び任意的にＡ以外の要素を有し）、更に別の実施形態では少なくとも１つのＡ、任意的に１つより多いＡを有し、及び少なくとも１つのＢ、任意的に１つより多いＢを有する（及び任意的に他の要素を有する）等を表しうる。
【００４１】
別に明確に示されない限り、１つより多いステップ又は動作を含む本願で請求されるいかなる方法においても、その方法のステップ又は動作の順序は、その方法のステップ又は動作が記載された順序に必ずしも限定されないことが理解される。
【００４２】
請求項中、明細書中と同様に、「有する、含む、備える、包含する、持つ、から成る（comprising、including、carrying、having、containing、involving、holding、composed  of）」等のような全ての中間句は、制約のないものと、つまり有するがそれに限定されないと、考えられるべきである。中間句「で構成される、本質的に〜で構成される（consisting  of、consistingessentiallyof）」のみは、特許審査手順、２１１１．０３章の米国特許庁マニュアルに示されるように、それぞれ限定的又は準限定的な中間句である。理解されるべきことに、ＰＣＴ（Patent  Cooperation  Treaty）のＲｕｌｅ６．２（ｂ）に従う請求項中で使用される特定の表現及び参照符号は、範囲を限定しない。
【図１】
0006467558.tif 000002
【図２】
0006467558.tif 000003
【図３】
0006467558.tif 000004
【図４】
0006467558.tif 000005
【図５】
0006467558.tif 000006